【手続補正書】
【提出日】平成28年3月1日(2016.3.1)
【手続補正１】
【補正対象書類名】特許請求の範囲
【補正対象項目名】全文
【補正方法】変更
【補正の内容】
【特許請求の範囲】
【請求項１】
被検眼の網膜の断層画像を取得する取得手段と、
前記取得された断層画像のうち少なくとも一部を反転した反転画像と前記取得された断層画像とを用いて、前記取得された断層画像に対する前記反転画像の位置が、前記取得された断層画像における網膜層が前記取得された断層画像の端に接している側になるように、新たな断層画像を作成する作成手段と、
前記取得された断層画像における網膜層を検出し、且つ前記取得された断層画像における前記検出された網膜層と前記反転画像における網膜層との連続性に基づいて前記作成された新たな断層画像における網膜層を検出する検出手段と、
を有することを特徴とする画像処理装置。
【請求項２】
前記接している側は、前記取得された断層画像におけるコヒーレンスゲート側であることを特徴とする請求項１に記載の画像処理装置。
【請求項３】
前記作成された新たな断層画像を表示手段に表示させる表示制御手段を更に有することを特徴とする請求項１または２に記載の画像処理装置。
【請求項４】
前記作成された新たな断層画像における前記検出された網膜層を示す表示形態を、前記作成された新たな断層画像に重ねた状態で表示手段に表示させる表示制御手段を更に有することを特徴とする請求項１または２に記載の画像処理装置。
【請求項５】
前記作成された新たな断層画像における前記検出された網膜層を用いて、前記作成された新たな断層画像を解析する画像解析手段と、
前記画像解析手段の解析結果を示す表示形態を表示手段に表示させる表示制御手段と、を更に有することを特徴とする請求項１または２に記載の画像処理装置。
【請求項６】
前記網膜層が前記取得された断層画像の端に接するか否かを判定する判定手段を更に有し、
前記表示制御手段が、前記網膜層が前記断層画像の端に接している場合に、前記作成された新たな断層画像を前記表示手段に表示させることを特徴とする請求項３乃至５のいずれか１項に記載の画像処理装置。
【請求項７】
前記反転画像を作成することを指示する指示手段を更に有し、
前記表示制御手段が、前記指示手段の指示に応じて、前記作成された新たな断層画像を前記表示手段に表示させることを特徴とする請求項３乃至５のいずれか１項に記載の画像処理装置。
【請求項８】
前記表示制御手段が、前記取得された断層画像が強度近視眼用の撮影モードで撮影されている場合に、前記作成された新たな断層画像を前記表示手段に表示させることを特徴とする請求項３乃至５のいずれか１項に記載の画像処理装置。
【請求項９】
前記作成された新たな断層画像と前記反転画像とのいずれか一方を前記表示手段に表示させる選択手段を更に有することを特徴とする請求項３乃至８のいずれか１項に記載の画像処理装置。
【請求項１０】
前記網膜の深度方向における前記反転画像の範囲を、複数の範囲から選択する選択手段を更に有し、
前記作成手段が、前記選択された範囲の反転画像を作成し、前記作成された反転画像と前記取得された断層画像とを用いて前記新たな断層画像を作成することを特徴とする請求項１乃至９のいずれか１項に記載の画像処理装置。
【請求項１１】
前記作成手段が、前記取得された断層画像の一部であり且つ前記端に配置されたノイズ領域が除かれるように、前記新たな断層画像を作成することを特徴とする請求項１乃至１０のいずれか１項に記載の画像処理装置。
【請求項１２】
被検眼の網膜の断層画像を取得する取得手段と、
前記取得された断層画像における網膜層を検出し、且つ前記取得された断層画像における前記検出された網膜層と前記取得された断層画像の少なくとも一部の反転画像における網膜層との連続性に基づいて、前記反転画像における網膜層を検出する検出手段と、
を有することを特徴とする画像処理装置。
【請求項１３】
前記取得された断層画像及び前記反転画像における前記検出された網膜層を用いて、前記取得された断層画像及び前記反転画像を解析する画像解析手段と、
前記画像解析手段の解析結果を示す表示形態を表示手段に表示させる表示制御手段と、を更に有することを特徴とする請求項１２に記載の画像処理装置。
【請求項１４】
前記画像解析手段は、前記取得された断層画像及び前記反転画像における前記検出された網膜層の厚さを計算し、
前記表示制御手段は、前記計算された厚さのマップとグラフとの少なくとも１つを、前記表示形態として前記表示手段に表示させることを特徴とする請求項５または１３に記載の画像処理装置。
【請求項１５】
前記画像解析手段は、前記取得された断層画像及び前記反転画像における前記検出された網膜層の曲率を計算し、
前記表示制御手段は、前記計算された曲率のマップを、前記表示形態として前記表示手段に表示させることを特徴とする請求項５または１３に記載の画像処理装置。
【請求項１６】
前記反転画像は前記検出された網膜層を含むことを特徴とする請求項１乃至１５のいずれか１項に記載の画像処理装置。
【請求項１７】
被検眼の網膜の断層画像を取得する取得手段と、
前記取得された断層画像における網膜層を検出する検出手段と、
前記取得された断層画像における前記検出された網膜層と前記取得された断層画像の端に接している側における前記検出された網膜層の折り返し箇所との重なり箇所の前記検出された網膜層を解析する画像解析手段と、
前記取得された断層画像と前記画像解析手段の解析結果を示す表示形態とを表示手段に表示させる表示制御手段と、
を有することを特徴とする画像処理装置。
【請求項１８】
前記画像解析手段は、前記取得された断層画像の右端と左端とに応じて、前記折り返し箇所における前記網膜層を検出する方向が異なることを特徴する請求項１７に記載の画像処理装置。
【請求項１９】
前記網膜の断層画像を撮るＯＣＴ装置を通信可能に接続し、
前記取得手段は、前記撮られた断層画像を取得することを特徴とする請求項１乃至１８のいずれか１項に記載の画像処理装置。
【請求項２０】
被検眼の網膜の断層画像を取得する工程と、
前記取得された断層画像のうち少なくとも一部を反転した反転画像と前記取得された断層画像とを用いて、前記取得された断層画像に対する前記反転画像の位置が、前記取得された断層画像における網膜層が前記取得された断層画像の端に接している側になるように、新たな断層画像を作成する工程と、
前記取得された断層画像における網膜層を検出する工程と、
前記取得された断層画像における前記検出された網膜層と前記反転画像における網膜層との連続性に基づいて前記作成された新たな断層画像における網膜層を検出する工程と、
を有することを特徴とする画像処理方法。
【請求項２１】
被検眼の網膜の断層画像を取得する工程と、
前記取得された断層画像における網膜層を検出する工程と、
前記取得された断層画像における前記検出された網膜層と前記取得された断層画像の少なくとも一部の反転画像における網膜層との連続性に基づいて、前記反転画像における網膜層を検出する工程と、
を有することを特徴とする画像処理方法。
【請求項２２】
被検眼の網膜の断層画像を取得する工程と、
前記取得された断層画像における網膜層を検出する工程と、
前記取得された断層画像における前記検出された網膜層と前記取得された断層画像の端に接している側における前記検出された網膜層の折り返し箇所との重なり箇所の前記検出された網膜層を解析する工程と、
前記取得された断層画像と前記解析する工程における解析結果を示す表示形態とを表示手段に表示させる工程と、
を有することを特徴とする画像処理方法。
【請求項２３】
請求項２０乃至２２のいずれか１項に記載の画像処理方法の各工程をコンピュータに実行させることを特徴とするプログラム。
【手続補正２】
【補正対象書類名】明細書
【補正対象項目名】０００８
【補正方法】変更
【補正の内容】
【０００８】
本発明に係る画像処理装置の一つは、
被検眼の網膜の断層画像を取得する取得手段と、
前記取得された断層画像のうち少なくとも一部を反転した反転画像と前記取得された断層画像とを用いて、前記取得された断層画像に対する前記反転画像の位置が、前記取得された断層画像における網膜層が前記取得された断層画像の端に接している側になるように、新たな断層画像を作成する作成手段と、
前記取得された断層画像における網膜層を検出し、且つ前記取得された断層画像における前記検出された網膜層と前記反転画像における網膜層との連続性に基づいて前記作成された新たな断層画像における網膜層を検出する検出手段と、を有する。